Podtech/llm-jp-corpus-v4-ja_patent huggingface dataset:
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ優先度レベルの指示を受信するステップと、
前記ユーザ優先度レベルに対応する送信時間間隔(TTI)を判定するステップであって、前記TTIは、スケジューリングインジケータを監視するための間隔を定義し、前記スケジューリングインジケータは、複数のユーザ優先度レベルにマップされた複数のスケジューリングインジケータのうちの1つであり、各スケジュールインジケータは、前記複数のユーザ優先度レベルのうちのそれぞれの1つが割り当てられたユーザに関してグラントが利用可能になる場合があるかどうかを示す、ステップと、
判定された間隔に応じて前記スケジューリングインジケータを監視するステップと、
を含む方法。
【請求項２】
グラントが利用可能になる場合があることを前記スケジューリングインジケータが示す場合に、ダウンリンク制御情報(DCI)を復号するステップをさらに含む、
請求項1に記載の方法。
【請求項３】
前記DCIは、
複数のTTIにわたって変動する動的パラメータと、
複数のTTIごとに一度のみ変化する半静的パラメータと、
を含む、請求項2に記載の方法。
【請求項４】
前記復号は前記DCIのインスタンスごとのブラインド復号を含み、
前記ブラインド復号は、前記動的パラメータに関する仮説および前記半静的パラメータに関する仮説を使用する、
請求項3に記載の方法。
【請求項５】
前記復号は前記DCIのサブセットに対するコヒーレントな復号を含み、
前記コヒーレントな復号は、半静的パラメータに関する仮説を使用する、
請求項3に記載の方法。
【請求項６】
前記DCIは、符号化および送信ができるようにデータとマージされる、
請求項2に記載の方法。
【請求項７】
別のスケジューリングインジケータを監視するための別の間隔を判定するステップであって、前記他のスケジューリングインジケータが、継続中のグラントに関する復号を停止すべきかそれとも開始すべきかを示す、ステップと、
前記他の間隔に応じて前記他のスケジューリングインジケータを監視するステップと、
をさらに含む、請求項1に記載の方法。
【請求項８】
前記他のスケジューリングインジケータを受信するステップと、
前記グラントに関連する優先度よりも高い優先度を前記他のスケジューリングインジケータが示す場合に継続中のグラントに関する復号を一時的に停止するステップと、
をさらに含む、請求項7に記載の方法。
【請求項９】
前記スケジューリングインジケータを受信するステップと、
受信した前記スケジューリングインジケータに関するビットマップの長さを判定するステップと、
前記ビットマップの前記長さに基づいて前記グラントに関するリソースブロック割振りを判定するステップと、
をさらに含む、請求項1に記載の方法。
【請求項１０】
ユーザ機器デバイスに関連するスケジューリング優先度インデックス間隔に応じてダウンリンク制御情報(DCI)を復号するステップをさらに含む、
請求項1に記載の方法。
【請求項１１】
前記複数のスケジューリングインジケータは、リソースブロックごとに割り振られるかあるいはサブバンドごとに割り振られる、
請求項1に記載の方法。
【請求項１２】
前記スケジューリングインジケータは、複数のユーザに共通するチャネル上で監視される、
請求項1に記載の方法。
【請求項１３】
前記スケジューリングインジケータは、特定のユーザ専用のチャネル上で監視される、
請求項1に記載の方法。
【請求項１４】
ワイヤレス通信のための装置であって
ユーザ優先度レベルの指示を受信するための手段と、
前記ユーザ優先度レベルに対応する送信時間間隔(TTI)を判定するための手段であって、前記TTIは、スケジューリングインジケータを監視するための間隔を定義し、前記スケジューリングインジケータは、複数のユーザ優先度レベルにマップされた複数のスケジューリングインジケータのうちの1つであり、各スケジュールインジケータは、前記複数のユーザ優先度レベルのうちのそれぞれの1つが割り当てられたユーザに関してグラントが利用可能になる場合があるかどうかを示す、手段と、
前記間隔に応じて前記スケジューリングインジケータを監視するための手段と、
を備える装置。
【請求項１５】
ワイヤレス通信のためのコンピュータ実行可能コードを記憶する非一時的コンピュータ可読記憶媒体であって、前記コンピュータ実行可能コードが、
請求項1から13のいずれか一項に記載の方法を実行するためのコードを含む、
非一時的コンピュータ可読記憶媒体。
【誤訳訂正書】
【提出日】平成30年12月4日(2018.12.4)
【誤訳訂正１】
【訂正対象書類名】明細書
【訂正対象項目名】０１４５
【訂正方法】変更
【訂正の内容】
【０１４５】
図１４は、本発明の実施形態のある側面による、例示的フロー図である。無線デバイスは、１４１０において、少なくとも１つのメッセージを基地局から受信する。メッセージは、複数のセルの構成パラメータならびに第１の情報要素（ＩＥ）および第２のＩＥを含んでもよい。複数のセルが、基地局と通信するために採用されてもよい。ＩＥは、新しい拡張電力ヘッドルーム報告が構成されたことを示し得る。第１のＩＥは、複数のセル内の二次セルがＰＵＣＣＨを用いて構成され、かつ、第２のＩＥが電力ヘッドルーム報告が設定として構成されたことを示す場合に、設定として構成される。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の基地局と通信するワイヤレス通信デバイスにおいて、第2の基地局から干渉信号を受信するステップと、
前記ワイヤレス通信デバイスにおいて、前記干渉信号の空間的方向を決定するステップと、
前記ワイヤレス通信デバイスを用いて、第1の時間期間内に前記干渉信号の前記空間的方向に基づいて前記第1の基地局に前記ワイヤレス通信デバイスの第1のアンテナを介して第1の信号を送信するステップと、
前記ワイヤレス通信デバイスにおいて、前記第1のアンテナから前記ワイヤレス通信デバイスの第2のアンテナに切り換えるステップと、
前記第1のアンテナから前記第2のアンテナに切り換えた後、前記ワイヤレス通信デバイスを用いて、第2の時間期間内に前記干渉信号の前記空間的方向に基づいて前記第1の基地局に前記第2のアンテナを介して第2の信号を送信するステップと
を含む方法。
【請求項２】
前記第1の基地局に前記第1の信号を送信する前記ステップが、
ビームフォーミングされたサウンディング参照信号(SRS)を前記第1の基地局に送信するステップ
を含む、請求項1に記載の方法。
【請求項３】
前記ビームフォーミングされたSRSが、前記干渉信号からの干渉を制限する空間的方向を有する、請求項2に記載の方法。
【請求項４】
前記ビームフォーミングされたSRSがビームコードブックに基づいて確立される、請求項2に記載の方法。
【請求項５】
前記ビームフォーミングされたSRSが、前記干渉信号からの干渉に関連付けられた計算に基づいて確立される、請求項2に記載の方法。
【請求項６】
前記ワイヤレス通信デバイスにおいて、前記第1の基地局からダウンリンク通信を受信するステップをさらに含み、ダウンリンク通信層が、前記第1の基地局に送信された前記第1の信号および前記第2の信号に基づいて前記空間的方向にビームフォーミングされる、
請求項1に記載の方法。
【請求項７】
前記第1の時間期間および前記第2の時間期間が連続した時間期間である、請求項1に記載の方法。
【請求項８】
前記第1の信号および前記第2の信号が各々、異なる位相を有する、請求項1に記載の方法。
【請求項９】
第1の基地局と通信するワイヤレス通信デバイスであって、
第2の基地局からの干渉信号を受信するように動作可能なトランシーバと、
前記トランシーバと通信するコンピューティングデバイスであって、前記干渉信号の空間的方向を決定するように動作可能なコンピューティングデバイスと
を備え、
前記トランシーバが、
第1の時間期間内に、前記干渉信号の前記空間的方向に基づいて前記第1の基地局に前記トランシーバと通信する第1のアンテナを介して第1の信号を送信し、
前記第1のアンテナから、前記トランシーバと通信する第2のアンテナに切り換え、
前記第1のアンテナから前記第2のアンテナに切り換えた後、第2の時間期間内に前記干渉信号の前記空間的方向に基づいて、前記第1の基地局に前記第2のアンテナを介して第2の信号を送信する
ようにさらに動作可能である、ワイヤレス通信デバイス。
【請求項１０】
前記トランシーバが、
ビームフォーミングされたサウンディング参照信号(SRS)を前記第1の基地局に送信する
ことによって、前記第1の基地局に前記第1の信号を送信するように動作可能である、請求項9に記載のワイヤレス通信デバイス。
【請求項１１】
前記ビームフォーミングされたSRSが、前記干渉信号からの干渉を制限する空間的方向を有する、請求項10に記載のワイヤレス通信デバイス。
【請求項１２】
前記コンピューティングデバイスが、ビームコードブックに基づいて、または、前記干渉信号からの干渉に関連付けられた計算に基づいて、前記ビームフォーミングされたSRSを確立するようにさらに動作可能である、請求項10に記載のワイヤレス通信デバイス。
【請求項１３】
前記トランシーバが、
前記第1の基地局からダウンリンク通信を受信するようにさらに動作可能であり、ダウンリンク通信層が、前記第1の基地局に送信される前記第1の信号および前記第2の信号に基づいて前記空間的方向にビームフォーミングされる、請求項9に記載のワイヤレス通信デバイス。
【請求項１４】
前記第1の時間期間および前記第2の時間期間が連続した時間期間である、請求項9に記載のワイヤレス通信デバイス。
【請求項１５】
前記第1の信号および前記第2の信号が各々、異なる位相を有する、請求項14に記載のワイヤレス通信デバイス。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信時間間隔(TTI)において送信を受信するステップと、
前記TTIのフォーマットに少なくとも部分的に基づいてアップリンク(UL)確認応答(ACK)チャネル構成を識別するステップと、
前記識別されたUL ACKチャネル構成に従って、UL ACKチャネルを介してACKメッセージを送るステップと、
を含む、方法。
【請求項２】
前記TTIの前記フォーマットは、1つのシンボルを含む、
請求項1に記載の方法。
【請求項３】
前記TTIの前記フォーマットは、前記送信のための複数のシンボルを含む、
請求項2に記載の方法。
【請求項４】
前記TTIにおける前記送信内の前記複数のシンボルのうちの第1のシンボルを復号するステップと、
前記TTIにおける前記送信内の前記複数のシンボルのうちの第2のシンボルを復号する前に、前記ACKメッセージの伝達と関連付けられるリソースの少なくとも一部分をスケジューリングするステップと、
をさらに含む、請求項3に記載の方法。
【請求項５】
前記送信内の前記複数のシンボルの各前記シンボルを受信する前に、前記リソースを利用して、前記ACKメッセージの少なくとも一部分を送るステップをさらに含む、
請求項4に記載の方法。
【請求項６】
後続のTTIにおいて2つ以上のシンボル内で前記ACKメッセージを送るステップをさらに含む、
請求項3に記載の方法。
【請求項７】
前記UL ACKチャネル構成のために、インターリーブ型周波数分割多元接続(iFDMA)波形を選択するステップをさらに含む、
請求項3に記載の方法。
【請求項８】
前記TTIにおける前記送信が、優先度の高い通信と関連付けられていることを判定するステップをさらに含む、
請求項3に記載の方法。
【請求項９】
前記UL ACKチャネル構成のために、インターリーブ型周波数分割多元接続(iFDMA)波形を選択するステップと、
前記iFDMA波形を使用して、前記UL ACKチャネルを介して前記ACKメッセージを送るステップと、
をさらに含む、請求項2に記載の方法。
【請求項１０】
前記ACKメッセージと関連付けられる通信メトリックを識別するステップと、
前記通信メトリックに少なくとも部分的に基づいて、前記iFDMA波形の非ゼロトーン値を選択するステップであって、前記非ゼロトーン値は、前記iFDMA波形の所定数のトーン内の非ゼロトーンの数に対応する、選択するステップと、
をさらに含む、請求項9に記載の方法。
【請求項１１】
前記iFDMA波形は、直交性およびスペクトル効率を獲得するために、1つまたは複数の他のiFDMA波形と多重化される、
請求項10に記載の方法。
【請求項１２】
前記通信メトリックは少なくとも、前記ACKメッセージと関連付けられるレイテンシ属性、または、前記ACKメッセージと関連付けられる周波数ダイバーシティ属性、または、前記ACKメッセージと関連付けられるピーク対平均電力比(PAPR)属性、または、それらの組合せを含む、
請求項10に記載の方法。
【請求項１３】
前記TTIにおいて受信される前記送信が、優先度の高い通信と関連付けられていることを判定するステップをさらに含む、
請求項9に記載の方法。
【請求項１４】
ワイヤレス通信のための装置であって、
送信時間間隔(TTI)において送信を受信するための手段と、
前記TTIのフォーマットに少なくとも部分的に基づいてアップリンク(UL)確認応答(ACK)チャネル構成を識別するための手段であって、前記UL ACKチャネル構成が、波形設計、TTIあたり複数のシンボルを利用するACK報告方式、またはこれらの両方を含む、手段と、
前記識別されたUL ACKチャネル構成に従って、UL ACKチャネルを介してACKメッセージを送るための手段と、
を備える、装置。
【請求項１５】
ワイヤレス通信のためのコンピュータ実行可能コードを記憶した非一時的コンピュータ可読記憶媒体であって、前記コードが、プロセッサによって、
送信時間間隔(TTI)において送信を受信することと、
前記TTIのフォーマットに少なくとも部分的に基づいてアップリンク(UL)確認応答(ACK)チャネル構成を識別することであって、前記UL ACKチャネル構成が、波形設計、TTIあたり複数のシンボルを利用するACK報告方式、またはこれらの両方を含む、ことと、
前記識別されたUL ACKチャネル構成に従って、UL ACKチャネルを介してACKメッセージを送ることと、
を実行可能である、非一時的コンピュータ可読記憶媒体。
【手続補正書】
【提出日】平成31年1月30日(2019.1.30)
【手続補正１】
【補正対象書類名】明細書
【補正対象項目名】００３３
【補正方法】変更
【補正の内容】
【００３３】
発色剤の選択についても、本発明は同様に何ら著しい制約を受けない。しかしながら発色剤は、トリフェニルメタン型、フルオラン型、アザフタリド型および／またはフルオレン型の染料が好ましい。極めて好ましい発色剤はフルオラン型の染料である。なぜなら、フルオランは、その入手可能性およびバランスのとれたその塗布特性により、魅力的な価格／性能比を有する記録材料の提供を可能にするからである。
特に好ましいフルオラン型の染料は：
３−ジエチルアミノ−６−メチル−７−アニリノフルオラン、
３−（Ｎ−エチル−Ｎ−ｐ−トルイジンアミノ）−６−メチル−７−アニリノフルオラン、
３−（Ｎ−エチル−Ｎ−イソアミルアミノ）−６−メチル−７−アニリノフルオラン、
３−ジエチルアミノ−６−メチル−７−（ｏ，ｐ−ジメチルアニリノ）フルオラン、
３−ピロリジノ−６−メチル−７−アニリノフルオラン、
３−（シクロヘキシル−Ｎ−メチルアミノ）−６−メチル−７−アニリノフルオラン、
３−ジエチルアミノ−７−（ｍ−トリフルオロメチルアニリノ）フルオラン、
３−Ｎ−ｎ−ジブチルアミノ−６−メチル−７−アニリノフルオラン、
３−ジエチルアミノ−６−メチル−７−（ｍ−メチルアニリノ）フルオラン、
３−Ｎ−ｎ−ジブチルアミノ−７−（ｏ−クロロアニリノ）フルオラン、
３−（Ｎ−エチル−Ｎ−テトラヒドロフルフリルアミノ）−６−メチル−７−アニリノフルオラン、
３−（Ｎ−メチル−Ｎ−プロピルアミノ）−６−メチル−７−アニリノフルオラン、
３−（Ｎ−エチル−Ｎ−エトキシプロピルアミノ）−６−メチル−７−アニリノフルオラン、
３−（Ｎ−エチル−Ｎ−イソブチルアミノ）−６−メチル−７−アニリノフルオラン、および／または
３−ジペンチルアミノ−６−メチル−７−アニリノフルオラン、
である。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
腫瘍を含む関心領域の肝動脈化学塞栓術のためのシステムであって、
少なくとも第１の薬剤及び第１の造影剤を有する第１の薬剤溶出性微小球ビーズを前記関心領域に導入し、少なくとも第２の薬剤及び第２の造影剤を有する第２の薬剤溶出性微小球ビーズを前記関心領域に導入するよう構成される注入デバイスと、
少なくとも第１のＸ線放射線エネルギーにより前記関心領域の第１の画像データセットを取得し、少なくとも第２のＸ線放射線エネルギーにより前記関心領域の第２の画像データセットを取得するイメージングシステムと、
前記第１の画像データセットから第１の薬剤濃度を決定し、前記第２の画像データセットから第２の薬剤濃度を決定する濃度決定器と、
を有するシステム。
【請求項２】
前記イメージングシステムは、スペクトルコンピュータトモグラフィイメージングシステムであり、又は第１の画像データ及び第２の画像データを同時に取得するよう構成されるスペクトルコンピュータトモグラフィシステムである、請求項１に記載のシステム。
【請求項３】
前記第１の薬剤溶出性微小球ビーズは、腫瘍中心血管に入り込むことができないサイズを有し、前記第２の薬剤溶出性微小球ビーズは、腫瘍中心血管に入り込むことができるサイズを有する、請求項１又は２に記載のシステム。
【請求項４】
前記第１の薬剤が前記第２の薬剤と異なり、及び／又は前記第１の造影剤が前記第２の造影剤と異なる、請求項１乃至３のいずれか１項に記載のシステム。
【請求項５】
前記少なくとも第１のＸ線放射線エネルギーは、前記第１の造影剤のＫ吸収端に対応し、前記少なくとも第２のＸ線放射線エネルギーは、前記第２の造影剤のＫ吸収端に対応する、請求項１乃至４のいずれか１項に記載のシステム。
【請求項６】
腫瘍を含む関心領域に供給された薬剤供給濃度を決定する方法であって、
少なくとも第１のＸ線放射線エネルギーで動作するＸ線イメージング装置により関心領域をイメージングすることによって、第１の画像データセットを取得するステップと、
少なくとも第１の薬剤及び第１の造影剤を有する第１の薬剤溶出性微小球ビーズにより前記関心領域に供給された第１の薬剤濃度を、前記第１の画像データセットから決定するステップと、
少なくとも第２のＸ線放射線エネルギーで動作するＸ線イメージング装置により前記関心領域をイメージングすることによって、第２の画像データセットを取得するステップと、
少なくとも第２の薬剤及び第２の造影剤を有する第２の薬剤溶出性微小球ビーズにより前記関心領域に供給された第２の薬剤濃度を、前記第２の画像データセットから決定するステップと、
を含み、前記第１の薬剤溶出性微小球ビーズが前記第２の薬剤溶出性微小球ビーズより大きい直径を有する、方法。
【請求項７】
前記第１の画像データセット及び前記第２の画像データセットが、同時に取得され、又はスペクトルコンピュータトモグラフィによって同時に取得される、請求項６に記載の方法。
【請求項８】
前記第１の薬剤溶出性微小球ビーズは、それらが腫瘍中心血管に入り込むことができないサイズを有し、前記第２の薬剤溶出性微小球ビーズは、それらが腫瘍中心血管に入り込むことができるサイズを有する、請求項６又は７に記載の方法。
【請求項９】
前記第１の薬剤が前記第２の薬剤と異なり、及び／又は前記第１の造影剤が前記第２の造影剤と異なる、請求項６乃至８のいずれか１項に記載の方法。
【請求項１０】
前記少なくとも第１のＸ線放射線エネルギーが前記第１の造影剤のＫ吸収端に対応し、前記少なくとも第２のＸ線放射線エネルギーが、前記第２の造影剤のＫ吸収端に対応する、請求項６乃至９のいずれか１項に記載の方法。
【請求項１１】
肝動脈化学塞栓術プロシージャの後、腫瘍を含む関心領域における薬剤濃度を決定するシステムであって、
少なくとも第１の薬剤及び第１の造影剤を有する第１の薬剤溶出性微小球ビーズ及び／又は少なくとも第２の薬剤及び第２の造影剤を有する第２の薬剤溶出性微小球ビーズを含む前記関心領域の第１の画像データセットを、第１のＸ線放射線エネルギーで取得し、少なくとも第１の薬剤及び第１の造影剤を有する第１の薬剤溶出性微小球ビーズ及び／又は少なくとも第２の薬剤及び第２の造影剤を有する第２の薬剤溶出性微小球ビーズを含む前記関心領域の第２の画像データセットを、第２のＸ線放射線エネルギーで取得するイメージングシステムと、
前記第１の画像データセットから、第１の薬剤濃度及び第２の薬剤濃度を決定し、前記第２の画像データセットから、第１の薬剤濃度及び第２の薬剤濃度を決定する濃度決定器と、
を有するシステム。
【請求項１２】
少なくとも第１の薬剤及び第２の薬剤が関心領域に供給される肝動脈化学塞栓術プロシージャの後、腫瘍における薬剤濃度を決定するためのコンピュータプログラムであって、前記コンピュータプログラムが前記コンピュータ上で実行されるとき、前記関心領域の第１の画像データセットから及び前記関心領域の第２の画像データセットから、第１の薬剤濃度及び第２の薬剤濃度を決定する命令を実行する、コンピュータプログラム。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
シリンジハウジングと、
シャフトを備えるプランジャであって、前記プランジャが、第１位置と第２位置との間で滑動可能に前記シリンジハウジング内に受け入れられる、プランジャと、
前記シャフト内に配置された少なくとも１つのホールセンサと、
前記シリンジハウジングに近接して固定された少なくとも１つの磁石とを備える装置。
【請求項２】
前記磁石が、前記シリンジハウジングの周りに配置された複数の磁石を備える、請求項１に記載の装置。
【請求項３】
前記装置が、更に、前記シリンジハウジングの周りに配置された磁石保持リングを備え、前記複数の磁石が前記磁石保持リング内に配置される、請求項２に記載の装置。
【請求項４】
前記ホールセンサが複数のホールセンサを備える、請求項１に記載の装置。
【請求項５】
前記シャフトが内部チェンバを形成し、前記複数のホールセンサが前記内部チェンバ内に線形に配置される、請求項４に記載の装置。
【請求項６】
前記装置が、更に、前記内部チェンバ内に配置された無線送信器を備える、請求項１に記載の装置。
【請求項７】
前記装置が、更に、
回路板であって、前記複数のホールセンサが前記回路板上に配置される、回路板と、
前記回路板上に配置されたバッテリであって、前記バッテリが、前記複数のホールセンサの少なくとも１つに動力を提供するように構成される、バッテリと、
前記バッテリと前記複数のホールセンサの前記少なくとも１つとの間で選択的に動力を接続するために前記回路板上に配置されたスイッチとを備える、請求項４に記載の装置。
【請求項８】
前記スイッチが、前記プランジャの移動に基づいて起動される、請求項７に記載の装置。
【請求項９】
軸を画定するシリンジハウジングと、
前記シリンジハウジング内において前記軸に沿って滑動可能に配置されたプランジャと、
前記プランジャに沿って配置された複数のホールセンサと、
前記軸に沿った前記プランジャの移動が、前記少なくとも１つの磁石によって生成された磁場を通過して前記複数のホールセンサの少なくとも１つを移動させるように、前記軸に対して固定された少なくとも１つの磁石とを備える装置。
【請求項１０】
前記少なくとも１つの磁石が、実質的に円形の磁場を生成するように前記軸の周りに配置された複数の磁石を備える、請求項９に記載の装置。
【請求項１１】
前記装置が、更に、前記シリンジハウジングの周りに配置された磁石保持リングを備え、かつ、前記複数の磁石が、前記磁石保持リング内に配置される、請求項１０に記載の装置。
【請求項１２】
前記装置が、更に、前記プランジャ内に配置された無線送信器を備える、請求項９に記載の装置。
【請求項１３】
前記装置が、更に、
前記プランジャ内に配置されたバッテリであって、前記バッテリが、前記無線送信器及び前記複数のホールセンサの少なくとも１つに動力を提供するように構成される、バッテリと、
前記バッテリと前記無線送信器及び前記複数のホールセンサの少なくとも１つとの間で選択的に動力を接続するために前記プランジャ内に配置されたスイッチとを備える、請求項１２に記載の装置。
【請求項１４】
前記スイッチが、前記プランジャの移動に基づいて起動される、請求項１３に記載の装置。
【請求項１５】
前記スイッチがリードスイッチを備える、請求項１３に記載の装置。
【請求項１６】
前記プランジャが、前記軸の周りを回転移動するように構成され、かつ前記複数のホールセンサの前記少なくとも１つが、前記軸の周りの前記プランジャの任意の角度位置において前記磁場を通過するように配置される、請求項９に記載の装置。
【請求項１７】
前記磁石保持リングが、前記シリンジハウジングの近位端に近接して配置される、請求項１１に記載の装置。
【請求項１８】
前記磁石が、前記シリンジハウジングに直接固定される、請求項９に記載の装置。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
複数のバイオマス部分に照射し、各部分をある線量で照射すること、
各部分に由来するＥＳＲ応答を測定し応答対線量の第１の曲線を作成すること、
応答対線量の第１の曲線からバイオマスの飽和線量を決定すること、
複数の照射されたバイオマス部分を５０℃超の温度で所定の時間加熱し、複数の加熱処理されたバイオマス部分を調製すること、及び
各加熱処理されたバイオマス部分に由来するＥＳＲ応答を測定し、応答対線量の第２の曲線を作成すること
を含む方法。
【請求項２】
測定された応答が、それぞれ全積分応答である、請求項１に記載の方法。
【請求項３】
前記第１の曲線及び前記第２の曲線がそれぞれ多項式である、請求項１に記載の方法。
【請求項４】
前記多項式が三次多項式である、請求項３に記載の方法。
【請求項５】
前記多項式が少なくとも０．９の値の相関係数を有する、請求項３に記載の方法。
【請求項６】
バイオマス試料に照射すること、
バイオマス試料を５０℃超の温度で所定の時間加熱すること、及び
照射され加熱されたバイオマス試料のＥＳＲ応答と応答対線量の第２の曲線とを比較して前記バイオマス試料が受けた線量を決定することを更に含む、請求項１に記載の方法。
【請求項７】
前記照射が電子ビームを用いて実施される、請求項１に記載の方法。
【請求項８】
照射された少なくとも１つのバイオマス部分のＥＳＲ応答の測定の前に、照射された少なくとも１つのバイオマス部分を−５０℃未満の温度で１日を超える所定の時間、保管することを更に含む、請求項１に記載の方法。
【請求項９】
各部分に由来するＥＳＲ応答の測定が照射後１２か月未満実施される、請求項１に記載の方法。
【請求項１０】
前記測定が照射後１週間未満で実施される、請求項９に記載の方法。
【請求項１１】
前記温度が１０５℃超である、請求項１に記載の方法。
【請求項１２】
各バイオマス部分が約０．１Ｍｒａｄから約１００Ｍｒａｄの範囲の線量で照射される、請求項１に記載の方法。
【請求項１３】
各バイオマス部分は、約１Ｍｒａｄと最大線量の間の線量で照射され、前記最大線量が、前記応答について線量の増大に対してそれ以上増大しない場合の線量に由来する、請求項１に記載の方法。
【請求項１４】
前記バイオマスがリグノセルロース材料を含む、請求項１に記載の方法。
【請求項１５】
各部分に由来するＥＳＲ応答の測定および各熱処理されたバイオマス部分に由来するＥＳＲ応答の測定が、ＥＳＲチューブ内で行われ、ＥＳＲが、約５ＧＨｚから約１００ＧＨｚの範囲の周波数で作動する、請求項１に記載の方法。
【請求項１６】
各部分に由来するＥＳＲ応答の測定および各熱処理されたバイオマス部分に由来するＥＳＲ応答の測定は、複数回のスキャンの実施を含み、前記複数回のスキャンによって、シグナル対雑音比を増大させる、請求項１に記載の方法。
【請求項１７】
複数のバイオマス部分を照射し、各部分をある線量で照射すること、
複数の照射されたバイオマス部分を５０℃超の温度で所定の時間加熱し、複数の加熱処理されたバイオマス部分を調製すること、
各加熱処理されたバイオマス部分に由来するＥＳＲ応答を測定し、バイオマスの飽和線量を決定すること、
およその飽和線量でバルク試料を照射すること、
照射されたバイオマスのバルク試料を５０℃超の温度で所定の時間加熱すること、及び
前記バルク試料を糖化すること
を含む方法。
【請求項１８】
前記バルク試料が前記飽和線量の１０パーセント以内で照射される、請求項１７に記載の方法。
【請求項１９】
およその飽和線量でバルクリグノセルロースバイオマスに照射することを含む方法であって、ここで前記飽和線量は、
複数のリグノセルロースバイオマス部分を照射し、各部分をある線量で照射すること、
複数の照射されたリグノセルロースバイオマス部分を５０℃超の温度で所定の時間加熱し、複数の加熱処理されたリグノセルロースバイオマス部分を調製すること、及び
各加熱処理されたリグノセルロースバイオマス部分に由来するＥＳＲ応答を測定し、応答対線量の曲線を作成すること
によって決定される、方法。
【請求項２０】
バルクリグノセルロースバイオマスが前記飽和線量の１０パーセント以内で照射される、請求項１９に記載の方法。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
希薄燃焼エンジン排ガスからＮＯｘおよび微粒子を除去するための車両排出系であって、
ＮＯを酸化してＮＯ２を形成する触媒と、
パティキュレートフィルター上に配置された第１のアンモニア選択接触還元（ＳＣＲ）触媒であって、該第１のアンモニアＳＣＲ触媒はＮＯｘ転化が制限されるように設計された特性を有し、その結果、ＮＯ２との反応による該パティキュレートフィルターにより捕集された煤の受動的な酸化の促進に、未転化ＮＯ２を利用することができる触媒と、
前記第１のアンモニアＳＣＲ触媒の下流の第２のアンモニアＳＣＲ触媒であって、フロースルー型担体上に配置され、かつＮＯｘのＳＣＲが促進されるように設計された触媒と、
を含む系。
【請求項２】
さらに、前記第１のアンモニアＳＣＲ触媒の上流に還元剤噴射装置を含む、請求項１記載の系。
【請求項３】
前記第１のアンモニアＳＣＲ触媒が第１の装填量で存在し、前記第２のＳＣＲ触媒が第２の装填量で存在し、かつ前記第２の装填量と前記第１の装填量との質量比が約１：１〜約４００：１の範囲内である、請求項１記載の系。
【請求項４】
前記第２のアンモニアＳＣＲ触媒の装填量が、約０．１ｇ／ｉｎ３〜約６ｇ／ｉｎ３の範囲内である、請求項１記載の系。
【請求項５】
前記第１のアンモニアＳＣＲ触媒と前記第２のアンモニアＳＣＲ触媒とがそれぞれ独立して、卑金属、混合酸化物およびそれらの混合物を助触媒とするモレキュラーシーブから選択される、請求項１から４までのいずれか１項記載の系。
【請求項６】
前記混合酸化物が、Ｆｅ／チタニア、Ｆｅ／アルミナ、Ｍｇ／チタニア、Ｃｕ／チタニア、Ｃｅ／Ｚｒ、バナジア／チタニア、タングステンで安定化されたバナジア／チタニアおよびそれらの混合物から選択される、請求項５記載の系。
【請求項７】
前記モレキュラーシーブが、アルミノシリケートゼオライト、ボロシリケート、ガロシリケート、ＳＡＰＯ、ＡｌＰＯ、ＭｅＡＰＳＯおよびＭｅＡＰＯから選択される、請求項５記載の系。
【請求項８】
前記第１のアンモニアＳＣＲ触媒と前記第２のアンモニアＳＣＲ触媒とがそれぞれ独立して、８個の４面体原子の最大環サイズを有する小細孔モレキュラーシーブを含む、請求項１から５までのいずれか１項記載の系。
【請求項９】
前記第１のアンモニアＳＣＲ触媒と前記第２のアンモニアＳＣＲ触媒とがそれぞれ独立して、骨格型ＡＣＯ、ＡＥＩ、ＡＥＮ、ＡＦＮ、ＡＦＴ、ＡＦＸ、ＡＮＡ、ＡＰＣ、ＡＰＤ、ＡＴＴ、ＣＤＯ、ＣＨＡ、ＤＤＲ、ＤＦＴ、ＥＡＢ、ＥＤＩ、ＥＰＩ、ＥＲＩ、ＧＩＳ、ＧＯＯ、ＩＨＷ、ＩＴＥ、ＩＴＷ、ＬＥＶ、ＫＦＩ、ＭＥＲ、ＭＯＮ、ＮＳＩ、ＯＷＥ、ＰＡＵ、ＰＨＩ、ＲＨＯ、ＲＴＨ、ＳＡＴ、ＳＡＹ、ＳＩＶ、ＴＨＯ、ＴＳＣ、ＵＥＩ、ＵＦＩ、ＶＮＩ、ＹＵＧおよびＺＯＮからなる群から選択されるモレキュラーシーブを含む、請求項８記載の系。
【請求項１０】
前記第１のアンモニアＳＣＲ触媒と前記第２のアンモニアＳＣＲ触媒とがそれぞれ独立してさらに、該アンモニアＳＣＲ触媒の約０．０５〜約２０質量％の範囲内で存在するＣｕ、Ｆｅ、Ｃｏ、ＣｅおよびＮｉからなる群から選択される助触媒金属を含む、請求項８記載の系。
【請求項１１】
前記第１のアンモニアＳＣＲ触媒および前記第２のアンモニアＳＣＲ触媒が、混合金属酸化物、セリア、ジルコニア、酸化タングステン、酸化チタンおよびそれらの組合せ物から選択される添加剤を含む、請求項８記載の系。
【請求項１２】
前記第１のアンモニアＳＣＲ触媒の特性が、ＳＣＲ触媒の種類、ＳＣＲ触媒の種類の組合せ、ＳＣＲ触媒の装填量、ＳＣＲ触媒の濃度、前記パティキュレートフィルター上での前記ＳＣＲ触媒の軸方向位置、前記パティキュレートフィルター上での前記ＳＣＲ触媒の局所的な装填量、前記フィルター上での前記ＳＣＲ触媒コーティングの長さ、ＳＣＲ触媒の助触媒金属の選択、ＳＣＲ触媒の助触媒金属の含有量、ＳＣＲ触媒ウォッシュコートの多孔度、ＳＣＲ触媒ウォッシュコートの細孔分布、ＳＣＲ触媒の粒子径およびＳＣＲ触媒の結晶サイズのうちの１つまたは複数から選択される、請求項１記載の系。
【請求項１３】
前記パティキュレートフィルター上に配置された前記第１のアンモニアＳＣＲ触媒が、約０．０１ｇ／ｉｎ３〜約２．５ｇ／ｉｎ３の範囲内の装填量で存在する、請求項１２記載の系。
【請求項１４】
ＮＯｘと粒子状物質とを含む希薄燃焼エンジン排ガスの処理方法であって、
前記排ガスと、ＮＯを酸化してＮＯ２を形成する触媒と、を接触させて、高められた量のＮＯ２を含む排ガス流を生じさせること、
前記高められた量のＮＯ２を有する排ガスと、パティキュレートフィルター上に配置された第１のアンモニア選択接触還元（ＳＣＲ）触媒と、を接触させること、ここで、前記アンモニアＳＣＲ触媒はＮＯｘ転化が制限されるように設計されており、その結果、ＮＯ２との反応による該パティキュレートフィルターにより捕集された煤の受動的な酸化の促進に、未転化ＮＯ２を利用することができる、および
前記パティキュレートフィルターから出る前記排ガスと、前記パティキュレートフィルターの下流のフロースルー型担体上の第２のアンモニアＳＣＲ触媒と、を接触させること
を含む方法。
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
ユーザの活動エネルギ消費量を推定する処理ユニットを有するバイタルサインモニタリングシステムにおいて、前記処理ユニットが、
ユーザの心拍を測定又は決定する少なくとも１つの心拍センサから心拍データを受信する第１の入力部と、
ユーザの動き又は加速度データを検出する少なくとも１つの動きセンサから動き又は加速度データを受信する第２の入力部と、
前記第１の入力部を介して受信された心拍データに基づいて第１の活動エネルギ消費量を決定する第１の活動エネルギ消費量決定ユニットと、
前記第２の入力部を介して受信された動き又は加速度データに基づいて第２の活動エネルギ消費量を決定する第２の活動エネルギ消費量決定ユニットと、
ユーザの高運動の第１の確率及び前記ユーザの低運動の第２の確率を推定する確率推定ユニットであって、前記確率推定ユニットが、
前記心拍データ及び／又は前記動き又は加速度データに基づいて、高又は低運動の予測子として機能するフィーチャセットを抽出するフィーチャセットユニット、
運動レベルを分類し、前記フィーチャセットの関数として前記第１及び第２の確率を出力する分類ユニット、
前記第１の確率及び前記第２の確率に基づいて第１及び第２の重み付け係数を決定する重み付けユニット、
前記第１の重み付け係数により重み付けされた前記少なくとも１つの第１の活動エネルギ消費量及び前記第２の重み付け係数により重み付けされた前記少なくとも１つの第２の活動エネルギ消費量に基づいて全体的な活動エネルギ消費量を計算する活動エネルギ消費量計算ユニット、
を有する、
バイタルサインモニタリングシステム。
【請求項２】
ユーザの心拍を測定又は決定するフォトプレチスモグラフィセンサの形式の心拍センサと、ユーザの動き又は加速度データを決定する少なくとも１つの動き又は加速度センサとを有する、請求項１に記載のバイタルサインモニタリングシステム。
【請求項３】
請求項１に記載のバイタルサインモニタリングシステムを有するウェアラブルデバイス。
【請求項４】
ユーザのバイタルサイン又は生理的パラメータをモニタする方法において、
ユーザの心拍を測定又は決定する少なくとも１つの心拍センサから心拍データを受信するステップと、
ユーザの動き又は加速度データを検出する少なくとも１つの動きセンサから動き又は加速度データを受信するステップと、
心拍データに基づいて第１の活動エネルギ消費量を決定するステップと、
動き又は加速度データに基づいて第２の活動エネルギ消費量を決定するステップと、
ユーザの高運動の第１の確率及び前記ユーザの低運動の第２の確率を推定するするステップと、
前記心拍データ及び／又は前記動き又は加速度データに基づいて、高又は低運動の予測子として機能するフィーチャセットを抽出するステップと、
運動レベルを分類し、前記フィーチャセットの関数として前記第１及び第２の確率を出力するステップと、
前記第１の確率及び前記第２の確率に基づいて第１及び第２の重み付け係数を決定するステップと、
前記第１の重み付け係数により重み付けされた前記第１の活動エネルギ消費量及び前記第２の重み付け係数により重み付けされた前記第２の活動エネルギ消費量に基づいて全体的な活動エネルギ消費量を計算するステップと、
を有する方法。
【請求項５】
請求項４に記載のユーザのバイタルサイン又は生理的パラメータをモニタする方法を実施するコンピュータプログラムコード命令を有する、通信ネットワークからダウンロード可能な並びに／又はコンピュータ可読及び／若しくはマイクロプロセッサ実行可能媒体に記憶されたコンピュータプログラムプロダクト。
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
患者モニタであって、
表示要素と、
少なくとも１つの心血管パラメータ及び少なくとも１つの呼吸パラメータを含む対象のバイタルサインを読み取る複数のセンサと、
心血管早期警告スコアリング方法を実行するようにプログラムされたマイクロプロセッサ又はマイクロコントローラとを有し、前記方法が、
種々のタイプの心血管劣化に対する心血管早期警告スコアを生成するため、それぞれ種々のタイプの心血管劣化へと対象を分類するよう訓練された複数の心血管劣化分類器を使用して、前記対象を分類するステップであって、前記複数の心血管劣化分類器が、前記複数のセンサにより読み取られた前記少なくとも１つの心血管パラメータ及び前記少なくとも１つの呼吸パラメータを含む前記対象を特徴付ける入力のセットに対し動作する、ステップと、
前記患者モニタの表示要素に、前記種々のタイプの心血管劣化のため、前記心血管早期警告スコアを出力するステップとを含む、患者モニタ。
【請求項２】
前記複数の心血管劣化分類器が、心電計電極により読み取られた前記少なくとも１つの心血管パラメータと、気流センサにより読み取られた１回換気量を含む前記少なくとも１つの呼吸パラメータとを含む前記入力のセットに対し動作する、請求項１の患者モニタ。
【請求項３】
前記少なくとも１つの呼吸パラメータが、呼吸数を更に含む、請求項２の患者モニタ。
【請求項４】
前記対象を特徴付ける入力のセットが、前記複数のセンサにより読み取られる少なくとも１つのガス交換パラメータを更に含む、請求項１乃至３の任意の一項に記載の患者モニタ。
【請求項５】
前記複数の心血管劣化分類器が、パルスオキシメータセンサにより読み取られた末梢酸素の飽和を含む前記少なくとも１つのガス交換パラメータを含む前記入力のセットに対し動作する、請求項４の患者モニタ。
【請求項６】
前記複数の心血管劣化分類器が、酸素の分圧及び二酸化炭素の分圧の少なくとも１つを含む血液ガス分析検査結果を更に含む前記対象を特徴付ける前記入力のセットに対して動作し、
前記血液ガス分析検査結果は、ユーザ入力デバイスにより、又は電子データネットワークを介した電子健康記録又は電子医療記録の読み出しにより前記患者モニタに入力される、請求項１乃至５の任意の一項に記載の患者モニタ。
【請求項７】
前記複数の心血管劣化分類器が、血液中のトロポニンレベルを更に含む前記血液ガス分析検査結果を含む前記入力のセットに対して動作する、請求項６の患者モニタ。
【請求項８】
前記複数の心血管劣化分類器が、心筋虚血分類器、左心室肥大分類器、収縮期心不全分類器、及び拡張期心不全分類器からなる心血管劣化分類器の群の少なくとも２つの分類器を含む、請求項１乃至７の任意の一項に記載の患者モニタ。
【請求項９】
前記複数の心血管劣化分類器が、第１のタイプの心血管劣化の心血管早期警告スコアを生成するため、前記第１のタイプの心血管劣化へと前記対象を分類する第１の心血管劣化分類器を含み、前記第１の心血管劣化分類器は、
前記第１のタイプの心血管の劣化に関する経験的スコアを生成するため、ラベル付けされた訓練データを使用して訓練される経験的分類器と、
前記第１のタイプの心血管劣化に関する規則ベースのスコアを生成するため、規則のセットを適用する規則ベースの心血管劣化検出器と、
前記経験的スコア及び前記規則ベースのスコアを含む前記第１のタイプの心血管劣化に関するスコアの加重組合せを生成するスコア結合器とを含む、請求項１乃至８の任意の一項に記載の患者モニタ。
【請求項１０】
前記第１の心血管劣化分類器が、前記第１のタイプの心血管劣化に関するモデルベーススコアを生成するため、代数的又は微分方程式を使用して前記第１のタイプの心血管劣化をモデル化する生理学的モデルベースの検出器を更に有し、
前記スコア結合器が、前記経験的スコア、前記規則ベースのスコア、及び前記モデルベースのスコアを含む前記第１のタイプの心血管劣化に関するスコアの加重組合せを生成する、請求項９に記載の患者モニタ。
【請求項１１】
心筋虚血早期警告方法を実行するため、複数のセンサ、表示要素、及びマイクロプロセッサ又はマイクロコントローラを備える患者モニタにより読み取り可能かつ実行可能な命令を格納する非一時的記憶媒体であって、前記方法が、
前記複数のセンサを用いて対象のバイタルサインデータを取得するステップと、
訓練対象を表すラベル付けされたデータセットで訓練された経験的な心筋虚血分類器を使用して、経験的な心筋虚血スコアを生成するよう前記対象を分類するステップであって、各訓練対象ｉが、前記訓練対象ｉの特徴のベクトル
2018513727.tif 000001
及び前記訓練対象ｉにおける心筋虚血状態を表すラベルｙｉにより表され、前記対象に関して取得されたバイタルサインデータから生成された特徴を含むベクトルを前記経験的心筋虚血分類器へ入力するステップを含む、ステップと、
前記対象に関して取得されたバイタルサインデータから生成された入力を含む、前記対象を特徴付ける入力のセットに規則のセット又は生理学的モデルを適用することにより、少なくとも１つの追加的な心筋虚血スコアを生成するステップと、
前記経験的心筋虚血スコアと前記少なくとも１つの追加的な心筋虚血スコアとの加重組合せを含む複合心筋虚血スコアを生成するステップと、
前記患者モニタの表示要素に前記複合心筋虚血スコアの表現を表示するステップとを有する、非一時的ストレージ媒体。
【請求項１２】
前記少なくとも１つの追加的な心筋虚血スコアを生成するステップが、
前記対象を特徴付ける前記入力のセットに規則のセットを適用することにより、規則ベースの心筋虚血スコアを生成するステップを含む、請求項１１に記載の非一時的ストレージ媒体。
【請求項１３】
前記少なくとも１つの追加的な心筋虚血スコアを生成するステップが、前記対象を特徴付ける前記入力のセットに対し動作する心筋虚血の生理学的モデルを使用して、生理学的モデルベースの心筋虚血スコアを生成するステップを含む、請求項１１又は１２に記載の非一時的ストレージ媒体。
【請求項１４】
前記複合心筋虚血スコアを生成するステップが、線形判別分析を用いて、前記経験的な心筋虚血スコアと前記少なくとも１つの追加の心筋虚血スコアとを組み合わせた複合心筋虚血スコアを生成するステップを含む、請求項１１乃至１３の任意の一項に記載の非一時的ストレージ媒体。
【請求項１５】
前記統合心筋虚血スコアの表現を前記患者モニタの表示要素に表示するステップが、
離散化された複合心筋虚血スコアを生成するため、前記複合心筋虚血スコアを離散化するステップと、
前記離散化された複合心筋虚血スコアの表現を前記患者モニタの表示要素に表示するステップとを含む、請求項１１乃至１４の任意の一項に記載の非一時的ストレージ媒体。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
レガシ磁気共鳴システム用の送信装置であって、当該送信装置は、
無線周波数（ＲＦ）コイルのアナログＲＦケーブルポートに結合する結合器を有する無線送信部と、
アナログ出力ポート、及び、前記アナログ出力ポートを前記レガシ磁気共鳴システムのレガシＲＦケーブルポート入力部に結合する結合器を有する無線受信部と、
を含み、
前記無線送信部は、少なくとも１つの第１のコントローラと、アナログ−デジタル変換器と、第１のデジタルトランシーバとを含み、
前記少なくとも１つの第１のコントローラは、前記ＲＦコイルから受信したアナログの磁気共鳴情報をデジタル化するように、前記アナログ−デジタル変換器を制御し、デジタル化された前記磁気共鳴情報を送信するように前記第１のデジタルトランシーバを制御し、
前記無線受信部は、少なくとも１つの第２のコントローラと、第２のデジタルトランシーバと、デジタル−アナログ変換器とを有し、
前記少なくとも１つの第２のコントローラは、送信された前記デジタル化された磁気共鳴情報を受信するように前記第２のデジタルトランシーバを制御し、前記デジタル化された磁気共鳴情報を受信するとデジタル−アナログ変換を行うように前記デジタル−アナログ変換器を制御して、対応するアナログ磁気共鳴信号を形成し、前記アナログ磁気共鳴信号は、前記アナログ出力ポートにおいて出力され、
前記第１のデジタルトランシーバと前記第２のデジタルトランシーバとは、双方向性のデジタルデータ転送方法を用いて互いに通信する、送信装置。
【請求項２】
前記無線受信部は更に、前記出力の前に、前記アナログ磁気共鳴信号の利得を制御する利得コントローラを含む、請求項１に記載の送信装置。
【請求項３】
前記利得コントローラは、前記アナログ磁気共鳴信号の平均値を決定し、前記平均値を、所望の利得制御閾値と比較する、請求項２に記載の送信装置。
【請求項４】
前記利得コントローラは、前記比較の結果に基づいて、前記アナログ磁気共鳴信号の前記利得を調整する、請求項３に記載の送信装置。
【請求項５】
前記デジタル化された磁気共鳴情報の送信を行う無線送信器又は光学式送信器のうちの少なくとも１つを更に含む、請求項１に記載の送信装置。
【請求項６】
前記無線受信部は更に、前記利得制御の前に、前記アナログ磁気共鳴信号をフィルタリングするアナログフィルタを含む、請求項２に記載の送信装置。
【請求項７】
レガシ磁気共鳴システム用の送信装置であって、当該送信装置は、
磁気共鳴シーケンス信号の影響下で関心物体からの誘導磁気共鳴信号を受信する複数の受信ループと、少なくとも１つの第１のコントローラとを含む送信式無線周波数（ＲＦ）コイルと、
アナログ出力ポートと、前記アナログ出力ポートを前記レガシ磁気共鳴システムのレガシＲＦケーブルポート入力部に結合する結合器とを有する無線受信部と、
を含み、
前記少なくとも１つの第１のコントローラは、受信した前記誘導磁気共鳴信号に基づいて磁気共鳴情報を形成し、前記磁気共鳴情報をデジタル化し、前記磁気共鳴情報を第１のデジタルトランシーバでデジタルデータストリーム信号として送信し、
前記無線受信部は、少なくとも１つの第２のコントローラと、第２のデジタルトランシーバと、デジタル−アナログ変換器とを有し、
前記少なくとも１つの第２のコントローラは、デジタル化し送信された前記磁気共鳴情報を受信するように前記第２のデジタルトランシーバを制御し、デジタル化された前記磁気共鳴情報を受信するとデジタル−アナログ変換を行うように前記デジタル−アナログ変換器を制御して、対応するアナログ磁気共鳴信号を形成し、前記アナログ磁気共鳴信号は、前記アナログ出力ポートにおいて出力され、
前記第１のデジタルトランシーバと前記第２のデジタルトランシーバとは、デジタルデータ転送方法を用いて互いに通信する双方向性トランシーバである、送信装置。
【請求項８】
レガシ磁気共鳴システムをアップグレードする方法であって、
ＲＦコイルのアナログＲＦケーブルポートに結合するステップと、
前記ＲＦコイルから受信されるアナログの磁気共鳴情報をデジタル化するようにアナログ−デジタル変換を行うステップと、
デジタル化された前記磁気共鳴情報を第１のデジタルトランシーバで無線送信するステップと、
無線送信された前記デジタル化された磁気共鳴情報を第２のデジタルトランシーバで受信するステップであって、前記第１のデジタルトランシーバと前記第２のデジタルトランシーバとは、デジタルデータ転送方法を用いて互いに通信する双方向性トランシーバである、ステップと、
対応するアナログ磁気共鳴信号を形成するように、前記デジタル化された磁気共鳴情報が受信されるとデジタル−アナログ変換を行うステップと、
前記対応するアナログ磁気共鳴信号を出力ポートに出力するステップと、
前記出力ポートを、前記レガシ磁気共鳴システムのレガシＲＦケーブルポート入力部に結合するステップと、
を含む、方法。
【請求項９】
前記出力の前に、前記対応するアナログ磁気共鳴信号の利得を制御するステップを含む、請求項８に記載の方法。
【請求項１０】
前記対応するアナログ磁気共鳴信号の平均値を決定するステップと、
前記平均値を、所望の利得制御閾値と比較するステップと、
を含む、請求項９に記載の方法。
【請求項１１】
前記比較の結果に基づいて、前記対応するアナログ磁気共鳴信号の前記利得を調整するステップを含む、請求項１０に記載の方法。
【請求項１２】
前記利得の制御の前に、前記対応するアナログ磁気共鳴信号をフィルタリングするステップを含む、請求項９に記載の方法。
【請求項１３】
前記デジタルデータ転送方法は、搬送波周波数での符号化及びハンドシェイク信号のグループから選択される少なくとも１つを含む、請求項１乃至７の何れか一項に記載の送信装置。
【請求項１４】
前記デジタルデータ転送方法は、搬送波周波数での符号化及びハンドシェイク信号のグループから選択される少なくとも１つを含む、請求項８に記載の方法。